(57)【要約】【課題】  画像形成装置とは独立した外部の制御装置により、蓄電又は放電の動作制御を行い、常に蓄電池からの定着への補助を最大限に活用する制御システムを提供する。【解決手段】  蓄電池制御コントローラ８０は、メインコントローラ２０とコマンドラインにて接続され、また充放電回路８１や蓄電電圧検出回路８２を介して蓄電池８３と接続し、蓄電池制御を行う。蓄電池８３は定着補助ヒータ８４と接続する。メインコントローラ２０から放電コマンドを受信すると、蓄電池８３より定着補助ヒータ８４に電力の供給を行い、充電コマンドを受信すると蓄電池への充電を行う。これにより画像形成装置本体が待機状態等であっても、常に充電量を満充電に維持することが可能となり、蓄電池の定着への補助を最大限に活用することができる。【選択図】  図６
2006337506.tif 000002
【特許請求の範囲】
【請求項１】
画像形成装置と蓄電池制御装置がコマンドラインにより接続している蓄電池制御システムであって、
前記画像形成装置は、
外部装置との接続手段と、
複数のアプリケーション機能手段と、
原稿読み取り手段と、
印刷手段と、
商用電源手段から蓄電池に充電する手段と、
前記蓄電池から電力を補助定着ヒータに供給する手段と、を有し、
前記蓄電池制御装置は、
前記画像形成装置との接続手段と、
前記蓄電池の充電又は放電動作の制御を行う制御手段を有し、
前記制御手段は定期的に前記蓄電池の充電残容量をチェックし、前記蓄電池が満充電ではなく、かつ装置が充電可能な場合に、充電動作を行うよう制御することを特徴とする蓄電池制御システム。
【請求項２】
前記複数のアプリケーション機能手段は、コピー機能、ファクシミリ機能、プリンタ機能であることを特徴とする請求項１記載の蓄電池制御システム。
【請求項３】
前記充電可能な場合は、待機状態であることを特徴とする請求項１又は２に記載の蓄電池制御システム。
【請求項４】
前記制御手段は、前記蓄電池の残容量が、既定の蓄電量以下である場合は、前記画像形成装置を通紙禁止状態にして、満充電されるまで充電動作を優先させるよう制御であることを特徴とする請求項１から３のいずれか１項に記載の蓄電池制御システム。
【請求項５】
前記既定の蓄電量は、設定変更可能であることを特徴とする請求項４記載の蓄電池制御システム。
【請求項６】
前記画像形成装置は、前記通紙禁止状態で充電動作を優先している際には、操作パネル上に、充電を優先していることが分かる旨の表示手段を有することを特徴とする請求項４又は５に記載の蓄電池制御システム。
【請求項７】
前記画像形成装置は、通紙禁止状態で充電動作を優先している際には、充電を優先していることが分かるように、ＬＥＤを点灯又は点滅させる手段を有することを特徴とする請求項４から６のいずれか１項に記載の蓄電池制御システム。
【請求項８】
外部装置との接続手段と、
複数のアプリケーション機能手段と、
原稿読み取り手段と、
印刷手段と、
商用電源手段から蓄電池に充電する手段と、
前記蓄電池から電力を補助定着ヒータに供給する手段と
前記蓄電池の充電又は放電を制御する制御手段と、を有し、
前記制御手段は、前記蓄電池の充電残容量をチェックし、前記蓄電池が満充電ではなく、かつ装置が充電可能な場合に充電動作を行うことを特徴とする画像形成装置。
【請求項９】
前記複数のアプリケーション機能手段は、コピー機能、ファクシミリ機能、プリンタ機能であることを特徴とする請求項８記載の画像形成装置。
【請求項１０】
前記充電可能な場合は、待機状態であることを特徴とする請求項８又は９に記載の画像形成装置。
【請求項１１】
前記制御手段は、前記蓄電池の残容量が、既定の蓄電量以下である場合は、前記画像形成装置を通紙禁止状態にして、満充電されるまで充電動作を優先させるよう制御することを特徴とする請求項８から１０のいずれか１項に記載の画像形成装置。
【請求項１２】
前記既定の蓄電量は、設定変更可能であることを特徴とする請求項１１記載の画像形成装置。
【請求項１３】
前記画像形成装置は、前記通紙禁止状態で充電動作を優先している際には、操作パネル上に、充電を優先していることが分かる旨の表示手段を有することを特徴とする請求項１１又は１２に記載の画像形成装置。
【請求項１４】
前記画像形成装置は、通紙禁止状態で充電動作を優先している際には、充電を優先していることが分かるように、ＬＥＤを点灯又は点滅させる手段を有することを特徴とする請求項１１から１３のいずれか１項に記載の画像形成装置。
【発明の詳細な説明】
【技術分野】
【０００１】
本発明は、蓄電池制御システム及び画像形成装置に関し、特に蓄電池の制御を他の独立の装置で行う蓄電池制御システム及び画像形成装置に関する。
【背景技術】
【０００２】
従来、市場ニーズにより、複写機において立ち上がり時間の高速化が望まれていた。そのため、定着ローラの厚さを薄くすること等により定着ローラの温まりを早める取り組みが提案されてきた。
【０００３】
しかし、この定着ローラの薄肉化は定着ローラの保持熱量の低下を招き、連続通紙時に定着温度がすぐに低くなり、画像品質を守るためにＣＰＭを落としたり、通紙中に一旦停止したりする必要が生じる等の欠点も同時に発生する。また、最大消費電力が規定されていることにより、立上げ時においてもヒータパワーの更なる向上による時間短縮化は望めない状況になっている。
【０００４】
そのため、近年、複写機に蓄電池を搭載させ、商用電源と、商用電源から蓄電した蓄電池を併用する画像形成装置が提案されており（特許文献１）、消費電力に余裕のある場合に蓄電を行っておくことで、立上げ時や連続通紙時など電力が必要になった際に、不足分を蓄電池からの放電によって補うことが可能となっている。
【特許文献１】特開２０００−０７５７３７号公報
【発明の開示】
【発明が解決しようとする課題】
【０００５】
しかしながら、蓄電池からの電力供給は、商用電源からのと異なり有限であるため、電力を補うことにも限りがあるという問題が生じる。また、画像形成装置本体が立ち上がっていない場合は充電池制御を行うことができないという問題も生じる。
【０００６】
本発明はこのような状況に鑑みてなされたものであり、画像形成装置の立上げ時間の短縮や連続通紙時の定着温度落ち込みの防止などに使用される蓄電池の電力供給に関して、蓄電池の制御は画像形成装置本体の制御装置とは異なる独立の装置にて、画像形成装置本体とコマンドの送受信をすることにより制御をかける。このシステムにより画像形成装置本体の状態に関わらず充電池制御を行うことが出来、省エネ状態下での蓄電池の充電動作の継続など、効率的な蓄電池の運用ができる。さらにこのシステムにおいて、定期的に充電残容量のチェックをしてこまめな充電動作の実行や、充電優先動作の実行などにより、常に蓄電池からの定着への補助を最大限に活用する制御の確立を目的としている。
【課題を解決するための手段】
【０００７】
請求項１記載の発明は、画像形成装置と蓄電池制御装置がコマンドラインにより接続している蓄電池制御システムであって、前記画像形成装置は、外部装置との接続手段と、複数のアプリケーション機能手段と、原稿読み取り手段と、印刷手段と、商用電源手段から蓄電池に充電する手段と、前記蓄電池から電力を補助定着ヒータに供給する手段と、を有し、前記蓄電池制御装置は、前記画像形成装置との接続手段と、前記蓄電池の充電又は放電動作の制御を行う制御手段を有し、前記制御手段は定期的に前記蓄電池の充電残容量をチェックし、前記蓄電池が満充電ではなく、かつ装置が充電可能な場合に、充電動作を行うよう制御することを特徴とする蓄電池制御システムである。
【０００８】
請求項２記載の発明は、請求項１記載のシステムにおいて、前記複数のアプリケーション機能手段は、コピー機能、ファクシミリ機能、プリンタ機能であることを特徴とする。
【０００９】
請求項３記載の発明は、請求項１又は２に記載のシステムにおいて、前記充電可能な場合は、待機状態であることを特徴とする。
【００１０】
請求項４記載の発明は、請求項１から３のいずれか１項に記載のシステムにおいて、前記制御手段は、前記蓄電池の残容量が、既定の蓄電量以下である場合は、前記画像形成装置を通紙禁止状態にして、満充電されるまで充電動作を優先させるよう制御することを特徴とする。
【００１１】
請求項５記載の発明は、請求項４記載のシステムにおいて、前記既定の蓄電量は、設定変更可能であることを特徴とする。
【００１２】
請求項６記載の発明は、請求項４又は５に記載のシステムにおいて、前記画像形成装置は、前記通紙禁止状態で充電動作を優先している際には、操作パネル上に、充電を優先していることが分かる旨の表示手段を有することを特徴とする。
【００１３】
請求項７記載の発明は、請求項４から６のいずれか１項に記載のシステムにおいて、前記画像形成装置は、通紙禁止状態で充電動作を優先している際には、充電を優先していることが分かるように、ＬＥＤを点灯又は点滅させる手段を有することを特徴とする。
【００１４】
請求項８記載の発明は、外部装置との接続手段と、複数のアプリケーション機能手段と、原稿読み取り手段と、印刷手段と、商用電源手段から蓄電池に充電する手段と、前記蓄電池から電力を補助定着ヒータに供給する手段と前記蓄電池の充電又は放電を制御する制御手段と、を有し、前記制御手段は、前記蓄電池の充電残容量をチェックし、前記蓄電池が満充電ではなく、かつ装置が充電可能な場合に充電動作を行うことを特徴とする画像形成装置である。
【００１５】
請求項９記載の発明は、請求項８記載の装置において、前記複数のアプリケーション機能手段は、コピー機能、ファクシミリ機能、プリンタ機能であることを特徴とする。
【００１６】
請求項１０記載の発明は、請求項８又は９に記載の装置において、前記充電可能な場合は、待機状態であることを特徴とする。
【００１７】
請求項１１記載の発明は、請求項８から１０のいずれか１項に記載の装置において、前記制御手段は、前記蓄電池の残容量が、既定の蓄電量以下である場合は、前記画像形成装置を通紙禁止状態にして、満充電されるまで充電動作を優先させるよう制御することを特徴とする。
【００１８】
請求項１２記載の発明は、請求項１１記載の装置において、前記既定の蓄電量は、設定変更可能であることを特徴とする。
【００１９】
請求項１３記載の発明は、請求項１１又は１２に記載の装置において、前記画像形成装置は、前記通紙禁止状態で充電動作を優先している際には、操作パネル上に、充電を優先していることが分かる旨の表示手段を有することを特徴とする。
【００２０】
請求項１４記載の発明は、請求項１１から１３のいずれか１項に記載の装置において、前記画像形成装置は、通紙禁止状態で充電動作を優先している際には、充電を優先していることが分かるように、ＬＥＤを点灯又は点滅させる手段を有することを特徴とする。
【発明の効果】
【００２１】
本発明によれば、画像形成装置本体とは独立した外部機器により蓄電池の制御を行うため、定期的に充電残容量のチェックや充電動作を行い、常に充電量を満充電に維持することが可能となり、蓄電池の定着への補助を最大限に活用することができる。
【発明を実施するための最良の形態】
【００２２】
以下に、本発明の実施形態に係る蓄電池制御システム及び画像形成装置を図面を用いて詳細に説明する。
【００２３】
図１は、本発明の実施形態に係る画像形成装置全体の概略図である。自動原稿送り装置（以後ＡＤＦ）１にある、原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００２４】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１９に排出される。転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は再度縦搬送ユニット１４に送られて裏面に画像を印刷された後に排紙される。また、転写紙を反転して排出する場合は上記の反転ユニット１１２でスイッチバック反転した用紙を両面ユニット１１１に送らずに反転排紙搬送路１１４に送り出して排紙する。
【００２５】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２６】
次に、画像形成装置の原稿読み取りから、画像の書き込みまでを説明する。読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００２７】
図１では、コピー機能を有する画像形成装置を図示しているが、その他、ファクシミリ機能、プリンタ機能など、複数のアプリケーション機能を有する場合も考え得る。
【００２８】
図２に本発明の実施形態に係る操作部３０の概略図を示す。操作部３０には、液晶タッチパネル３１、テンキー３２、クリア／ストップキー３３、プリントキー３４、予熱キー３５等があり、液晶タッチパネル３１には、機能キー３７、部数、及び画像形成装置の状態を示すメッセージ等が表示される。予熱キー３５を押すと、機械は待機状態から、電力低減状態に移行し、定着温度を低下させたり、操作部の表示を消灯させたりする。予熱状態は、国際エネルギースター計画で言う、低電力状態を意味している。また、予熱状態、オフ状態／スリープ状態を解除し、待機状態に移行させるには、この予熱キー３５を再度押下する。
その他としては、アプリケーション切り替えキー、選択されているアプリケーションを表示するＬＥＤインジケータが考えられる。アプリケーションキーを選択する事で、選択したアプリケーションの画面が液晶タッチパネルに表示される。アプリケーションキーは、例えば、初期設定キーが考えられる。初期設定キーを押す事で、機械の初期状態を任意にカスタマイズすることが可能である。また、機械が収納している用紙サイズの設定や、コピー機能のモードクリアキーを押したときに設定される状態を任意に設定可能である。一定時間操作が無いときに優先して選択されるアプリケーション等も選択するとか、国際エネルギースター計画に従った低電力への移行時間の設定や、オートオフ／スリープモードへの移行する時間を設定することも可能である。
【００２９】
図３は、本発明の実施形態に係る操作部３０の液晶タッチパネル３１の表示一例を示した図である。ユーザが、液晶タッチパネル３１に表示された各キーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行う事が可能である。連結コピーキー４０は、１台以上の画像形成装置と電気的に接続されている場合に有効なキーである。このキーを押下すると、押下した機械がマスター機となり、接続されている画像形成装置がスレーブ機となり、選択されている機能がコピーであればマスター機の操作部のスタート指示により、マスター機で読み取った原稿画像をスレーブ機でも出力可能となる。
【００３０】
図４は、本発明の実施形態に係る制御装置を、メインコントローラ２０を中心に示したブロック図である。メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。また、メインコントローラ２０には複数の画像形成装置に接続して装置の構成および機能情報、動作制御に関する情報の送受信を行うための連結Ｉ／Ｆ４８が接続されている。メインコントローラ２０は連結Ｉ／Ｆ４８を介して接続された画像形成装置の情報を獲得し、動作を設定することにより連結動作の制御を行う、もしくは接続された他の画像形成装置からの要求を獲得し自機の動作の制御を行う。各分散制御装置とメインコントローラ２０は必要に応じて機械の状態、動作司令のやりとりを行っている。また紙搬送等に必要なメインモータ２５、各種クラッチ２１〜２４も接続されている。
【００３１】
図５は、本発明の実施形態に係る画像処理ユニット（ＩＰＵ）４９内部構成を示したブロック図である。露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部にてＭＴＦ補正、γ補正６３等がなされる。変倍処理７２を経由した画像信号は変倍率に合せて拡大縮小され、セレクタ６４に流れる。セレクタ６４では、画像信号の送り先を、書き込みγ補正ユニット７１または、画像メモリコントローラ６５への切り替えが行われる。書き込みγ補正ユニット７１を経由した画像信号は作像条件に合わせて書き込みγが補正され、書き込みユニット５７に送られる。画像メモリコントローラ６５とセレクタ６４間は、双方向に画像信号を入出力可能な構成となっている。また、画像メモリコントローラ６５等への設定や、読み取りユニット５０書き込みユニット５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００３２】
連結Ｉ／Ｆ４８は画像情報の送受信のため、メモリコントローラ６５のデータバスに接続され、データの入出力が可能な構成になっている。画像形成装置間のデータ転送速度に応じて、画像情報は画像メモリ６６を介して転送される。すなわち、画像出力時にはメモリコントローラ６５から画像メモリ６６に画像データを格納した後、画像形成装置間のデータ転送速度に応じて順次画像メモリ６６からデータを読み出して、連結Ｉ／Ｆにデータを転送する。画像出力時には連結Ｉ／Ｆより転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００３３】
原稿画像で画像メモリコントローラ６５へ送られた画像は、画像メモリコントローラ６５内にある画像圧縮装置によって画像データを圧縮した後、画像メモリ６６に送られる。最大画像サイズ分の２５６階調のデータをそのまま画像メモリ６６に書き込むことも可能であるが、１枚の原稿画像で画像メモリを大変多く使用するため、画像圧縮を行うことで、限られた画像メモリを有効に利用できるようにしている。また、一度に多くの原稿画像データを記憶することが出来るため、ソート機能として、貯えられた原稿画像イメージデータをページ順に出力することができる。この場合、電子ソートや集約コピーを行うことが可能である。電子ソートとは、画像を出力する際に画像メモリ６６のデータをメモリコントローラ６５内の伸長装置で順次伸長しながら出力を行う機能である。集約コピーとは、画像メモリの機能を利用して、複数枚の原稿画像を、画像メモリの転写紙一枚分のエリアを分割したエリアに順次読み込む機能である。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。
【００３４】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込む事で画像メモリの処理を行う事ができる。加工された画像は再度画像メモリに保持される。また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。画像メモリ６６は、多くの画像データを収納するためハードディスクが用いられる事もある。ハードディスクを用いる事により、外部電源が不用で永久的に画像を保持できる特徴もある。複数の定型の原稿（フォーマット原稿）をスキャナで読み込み保持するためには、このハードディスクが用いられるのが一般的である。
【００３５】
図６は、本発明の実施形態に係る蓄電池制御コントローラの構成を示したブロック図である。蓄電池制御コントローラ８０は、図４にて説明したメインコントローラ２０とコマンドラインにて接続され、また充放電回路８１や蓄電電圧検出回路８２を介して蓄電池８３と接続し、蓄電池制御を行う。蓄電池８３は定着補助ヒータ８４と接続する。メインコントローラ２０から放電コマンドを受信すると、蓄電池８３より定着補助ヒータ８４に電力の供給を行い、充電コマンドを受信すると蓄電池への充電を行う。メインコントローラ２０と接続する他の制御装置については図６では省略している。
【００３６】
図７は、本発明の実施形態に係る充電処理制御の動作を示すフローチャートである。まず一定時間経過しているかを確認することで（ステップＳ１０）、定期的に充電処理制御を行うことができる。一定時間を経過していた場合は（ステップＳ１０／ＹＥＳ）残充電量のチェックを行う（ステップＳ１１）。一定時間経過していない場合は（ステップＳ１０／ＮＯ）再度一定時間経過しているか確認する。残充電量のチェックを行った結果、満充電でない場合は（ステップＳ１２／ＮＯ）さらに充電可能な状態であるかチェックする（ステップＳ１３）。充電可能な場合とは、例えば待機状態等が考え得る。一方、満充電であった場合は（ステップＳ１２／ＹＥＳ）充電する必要はないため、ステップＳ１０に戻る。充電可能な状態であった場合は（ステップＳ１３／ＹＥＳ）充電処理を行う（ステップＳ１４）。充電可能な状態でない場合は（ステップＳ１３／ＮＯ）ステップＳ１０に戻る。充電処理が終了した場合もステップＳ１０に戻る。このように蓄電池制御装置に放電開始コマンドを送信して充電を行う制御がなされる。
【００３７】
図８は、本発明の実施形態に係る充電処理制御の通紙禁止通知を行う際の動作を示すフローチャートである。まず一定時間経過しているか（ステップＳ２０）、残充電量のチェック（ステップＳ２１）、満充電かどうか（ステップＳ２２）、充電可能な状態であるかのチェック（ステップＳ２３）までは上記図７の動作と同様の流れである。充電可能な状態である場合は（ステップＳ２３／ＹＥＳ）既定充電量以下であるかチェックする（ステップＳ２４）。既定充電量以下の場合は（ステップＳ２４／ＹＥＳ）通紙禁止の通知を行った上で（ステップＳ２５）、充電処理（ステップＳ２６）を行う。既定充電量は、サービスマンやユーザ等の任意により設定変更可能である。一方、既定充電量以下ではない場合は（ステップＳ２４／ＮＯ）直ちに充電処理を行う（ステップＳ２６）。充電処理が終了した場合はＳ２０に戻る。このように通紙禁止状態の通知を行い、充電動作を行う制御がなされる。
【図面の簡単な説明】
【００３８】
【図１】本発明の実施形態に係る画像形成装置全体の概略図である。
【図２】本発明の実施形態に係る操作部３０の概略図である。
【図３】本発明の実施形態に係る操作部３０の液晶タッチパネル３１の表示例を示した図である。
【図４】本発明の実施形態に係る制御装置を、メインコントローラ２０を中心に示したブロック図である。
【図５】本発明の実施形態に係る画像処理ユニット（ＩＰＵ）４９内部構成を示したブロック図である。
【図６】本発明の実施形態に係る蓄電池制御コントローラの構成を示したブロック図である。
【図７】本発明の実施形態に係る充電処理制御の動作を示すフローチャートである。
【図８】本発明の実施形態に係る充電処理制御の通紙禁止通知を行う際の動作を示すフローチャートである。
【符号の説明】
【００３９】
１    自動原稿送り装置（ＡＤＦ）
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙装置
１２    第２給紙装置
１３    第３給紙装置
１４    縦搬送ユニット
１５    感光体
１６    搬送ベルト
１７    定着ユニット
１８    排紙ユニット
１９    排紙トレイ
３０    操作部
３１    液晶タッチパネル
３２    テンキー
３３    クリア／ストップキー
３４    プリントキー
３５    予熱キー
３６    リセットキー
４０    連結コピーキー
４９    画像処理ユニット（ＩＰＵ）
５０    読み取りユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
６１    Ａ／Ｄコンバータ
６２    シェーディング補正
６３    ＭＴＦ補正・γ補正
６４    セレクタ
６５    メモリコントローラ
６６    画像メモリ
６７    I/Oポート
６８    ＣＰＵ
６９    ＲＯＭ
７０    ＲＡＭ
７１    書き込みγ補正
７２    変倍処理
７３    画像データ
８０    蓄電池制御コントローラ
８１    充放電回路
８２    蓄電電圧検出回路
８３    蓄電池
８４    定着補助ヒータ
１１１    両面搬送ユニット
１１２    反転ユニット
１１３    両面入紙搬送路
１１４    反転排紙搬送路
【図１】
2006337506.tif 000003
【図２】
2006337506.tif 000004
【図３】
2006337506.tif 000005
【図４】
2006337506.tif 000006
【図５】
2006337506.tif 000007
【図６】
2006337506.tif 000008
【図７】
2006337506.tif 000009
【図８】
2006337506.tif 000010